(57)【要約】【課題】表示品位の低下を抑制することが可能な表示装置を提供する。【解決手段】第１基板と、前記第１基板に対向する第２基板と、前記第１基板と前記第２基板との間に位置する液晶層と、複数の第１発光素子と、前記第１基板に対向する第１主面と、前記第１主面の反対側に位置する第２主面と、前記複数の第１発光素子に対向する第１端部と、前記第１端部の反対側に位置する第２端部と、を有する第１導光板と、前記第１主面に接して配置され、前記液晶層と前記第１導光板との間において前記第１端部に近接する第１層と、前記第１主面に接して配置され、前記第１層と前記第２端部との間に位置する第２層と、を備え、前記第１導光板は、第１屈折率を有し、前記第１層は、前記第１屈折率より低い第２屈折率を有し、前記第２層は、前記第２屈折率より高い第３屈折率を有し、前記第１層は、前記第２層より前記第１端部に近い位置に配置される、表示装置。【選択図】  図１
2019191230.tif 000002
【特許請求の範囲】
【請求項１】
第１基板と、
前記第１基板に対向する第２基板と、
前記第１基板と前記第２基板との間に位置する液晶層と、
複数の第１発光素子と、
前記第１基板に対向する第１主面と、前記第１主面の反対側に位置する第２主面と、前記複数の第１発光素子に対向する第１端部と、前記第１端部の反対側に位置する第２端部と、を有する第１導光板と、
前記第１主面に接して配置され、前記液晶層と前記第１導光板との間において前記第１端部に近接する第１層と、
前記第１主面に接して配置され、前記第１層と前記第２端部との間に位置する第２層と、を備え、
前記第１導光板は、第１屈折率を有し、
前記第１層は、前記第１屈折率より低い第２屈折率を有し、
前記第２層は、前記第２屈折率より高い第３屈折率を有し、
前記第１層は、前記第２層より前記第１端部に近い位置に配置される、表示装置。
【請求項２】
前記第１層は、前記第１端部から前記第２端部に向かって第１長さを有し、
前記第２層は、前記第２端部から前記第１端部に向かって第２長さを有し、
前記第１長さは、前記第２長さと同等、または、前記第２長さより短い、請求項１に記載の表示装置。
【請求項３】
前記第１導光板は、前記第１端部と前記第２端部との間に第３長さを有し、
前記第１長さは、前記第３長さの１／３以上である、請求項２に記載の表示装置。
【請求項４】
前記第２主面に接して配置され、前記第１導光板を挟んで前記第１層及び前記第２層と対向する第３層を備え、
前記第３層は、前記第１屈折率より低い第４屈折率を有する、請求項１に記載の表示装置。
【請求項５】
前記第１屈折率及び前記第３屈折率は同等であり、前記第２屈折率及び前記第４屈折率は同等である、請求項４に記載の表示装置。
【請求項６】
複数の第２発光素子と、
前記第２基板に対向する第３主面と、前記第３主面の反対側に位置する第４主面と、前記複数の第２発光素子に対向する第３端部と、前記第３端部の反対側に位置する第４端部と、を有する第２導光板と、
前記第３主面に接して配置され、前記液晶層と前記第２導光板との間において前記第３端部に近接する第４層と、
前記第３主面に接して配置され、前記第４層と前記第４端部との間に位置する第５層と、を備え、
前記第２導光板は、第５屈折率を有し、
前記第４層は、前記第５屈折率より低い第６屈折率を有し、
前記第５層は、前記第５屈折率より高い第７屈折率を有し、
前記第３端部は、前記第４端部より前記第２端部に近い位置に配置され、
前記第４層は、前記第５層より前記第３端部に近い位置に配置される、請求項１乃至５のいずれか１項に記載の表示装置。
【請求項７】
前記第４層は、前記第３端部から前記第４端部に向かって第４長さを有し、
前記第５層は、前記第４端部から前記第３端部に向かって第５長さを有し、
前記第４長さは、前記第５長さと同等、または、前記第５長さより短い、請求項６に記載の表示装置。
【請求項８】
前記第２導光板は、前記第３端部と前記第４端部との間に第６長さを有し、
前記第４長さは、前記第６長さの１／３以上である、請求項７に記載の表示装置。
【請求項９】
前記第４主面に接して配置され、前記第２導光板を挟んで前記第４層及び前記第５層と対向する第６層を備え、
前記第６層は、前記第５屈折率より低い第８屈折率を有する、請求項６に記載の表示装置。
【請求項１０】
前記第５屈折率及び前記第７屈折率は同等であり、前記第６屈折率及び前記第８屈折率は同等である、請求項９に記載の表示装置。
【請求項１１】
前記第１層と前記第２層との第１境界と、
前記第４層と前記第５層との第２境界と、を有し、
前記第１境界及び前記第２境界のうちの少なくとも一方は、直線状に形成されている、請求項６に記載の表示装置。
【請求項１２】
前記第１層と前記第２層との第１境界と、
前記第４層と前記第５層との第２境界と、を有し、
前記第１境界及び前記第２境界のうちの少なくとも一方は、波線状に形成されている、請求項６に記載の表示装置。
【請求項１３】
前記第１基板と前記第１導光板との間に位置し、前記第１境界に重畳する第１遮光層と、
前記第１基板と前記第１導光板との間に位置し、前記第２境界に重畳する第２遮光層と、を備える、請求項１１または１２に記載の表示装置。
【請求項１４】
前記液晶層と前記第１導光板との間に位置し、前記第１境界及び前記第２境界の少なくとも一方に重畳する金属配線を備える、請求項１１乃至１３のいずれか１項に記載の表示装置。
【請求項１５】
前記第１層と前記第１基板との間に位置し、前記第１端部から前記第２端部に向かって第７長さを有する遮光体を備え、
前記第７長さは、前記第１長さより短い、請求項２に記載の表示装置。
【請求項１６】
第１発光素子と、
第１主面と、前記第１発光素子に対向する第１端部と、前記第１端部の反対側に位置する第２端部と、を有する第１導光板と、
前記第１主面に接して配置される第１層と、
第２発光素子と、
第２主面と、前記第２発光素子に対向する第３端部と、前記第３端部の反対側に位置する第４端部と、を有する第２導光板と、
前記第２主面に接して配置される第２層と、
前記第１層を挟んで前記第１主面に対向し、前記第４端部に接着された第５端部を有する第１表示パネルと、
前記第２層を挟んで前記第２主面に対向し、前記第２端部に接着された第６端部を有する第２表示パネルと、を備え、
前記第１表示パネル及び前記第２表示パネルは、それぞれ液晶層を備え、
前記第１導光板は、第１屈折率を有し、
前記第１層は、前記第１屈折率より低い第２屈折率を有し、
前記第２導光板は、第３屈折率を有し、
前記第２層は、前記第３屈折率より低い第４屈折率を有する、表示装置。
【請求項１７】
前記第２端部及び前記第６端部、及び、前記第４端部及び前記第５端部の各々を接着する透明な接着層を備える、請求項１６に記載の表示装置。
【請求項１８】
発光素子と、
第１主面と、前記発光素子に対向する第１端部と、前記第１端部の反対側に位置する第２端部と、を有する第１導光板と、
前記第１主面に接して配置される第１層と、
前記第１層を挟んで前記第１主面に対向し、前記第２端部に重畳する第３端部を有する表示パネルと、
前記第２端部及び前記第３端部にそれぞれ接着された反射部材と、を備え、
前記表示パネルは、液晶層を備え、
前記第１導光板は、第１屈折率を有し、
前記第１層は、前記第１屈折率より低い第２屈折率を有する、表示装置。
【請求項１９】
前記反射部材は、プリズムである、請求項１８に記載の表示装置。
【請求項２０】
前記第２端部及び前記第３端部の各々と、前記反射部材とを接着する透明な接着層を備える、請求項１８に記載の表示装置。
【発明の詳細な説明】
【技術分野】
【０００１】
本発明の実施形態は、表示装置に関する。
【背景技術】
【０００２】
近年、様々な形態の表示装置が提案されている。導光板に接着された光変調素子内に、光学異方性を有したバルクおよび微粒子を含んだ光変調層を備える照明装置が開示されている。その他の例では、高分子分散型液晶層を含み、入射光の強度を変換する光変換部を備える光源装置が開示されている。
【先行技術文献】
【特許文献】
【０００３】
【特許文献１】特開２０１０−９２６８２号公報
【特許文献２】特開２０１６−５７３３８号公報
【発明の概要】
【発明が解決しようとする課題】
【０００４】
本実施形態の目的は、表示品位の低下を抑制することが可能な表示装置を提供することにある。
【課題を解決するための手段】
【０００５】
本実施形態によれば、
第１基板と、前記第１基板に対向する第２基板と、前記第１基板と前記第２基板との間に位置する液晶層と、複数の第１発光素子と、前記第１基板に対向する第１主面と、前記第１主面の反対側に位置する第２主面と、前記複数の第１発光素子に対向する第１端部と、前記第１端部の反対側に位置する第２端部と、を有する第１導光板と、前記第１主面に接して配置され、前記液晶層と前記第１導光板との間において前記第１端部に近接する第１層と、前記第１主面に接して配置され、前記第１層と前記第２端部との間に位置する第２層と、を備え、前記第１導光板は、第１屈折率を有し、前記第１層は、前記第１屈折率より低い第２屈折率を有し、前記第２層は、前記第２屈折率より高い第３屈折率を有し、前記第１層は、前記第２層より前記第１端部に近い位置に配置される、表示装置が提供される。  
本実施形態によれば、
第１発光素子と、第１主面と、前記第１発光素子に対向する第１端部と、前記第１端部の反対側に位置する第２端部と、を有する第１導光板と、前記第１主面に接して配置される第１層と、第２発光素子と、第２主面と、前記第２発光素子に対向する第３端部と、前記第３端部の反対側に位置する第４端部と、を有する第２導光板と、前記第２主面に接して配置される第２層と、前記第１層を挟んで前記第１主面に対向し、前記第４端部に接着された第５端部を有する第１表示パネルと、前記第２層を挟んで前記第２主面に対向し、前記第２端部に接着された第６端部を有する第２表示パネルと、を備え、前記第１表示パネル及び前記第２表示パネルは、それぞれ液晶層を備え、前記第１導光板は、第１屈折率を有し、前記第１層は、前記第１屈折率より低い第２屈折率を有し、前記第２導光板は、第３屈折率を有し、前記第２層は、前記第３屈折率より低い第４屈折率を有する、表示装置が提供される。  
本実施形態によれば、
発光素子と、第１主面と、前記発光素子に対向する第１端部と、前記第１端部の反対側に位置する第２端部と、を有する第１導光板と、前記第１主面に接して配置される第１層と、前記第１層を挟んで前記第１主面に対向し、前記第２端部に重畳する第３端部を有する表示パネルと、前記第２端部及び前記第３端部にそれぞれ接着された反射部材と、を備え、前記表示パネルは、液晶層を備え、前記第１導光板は、第１屈折率を有し、前記第１層は、前記第１屈折率より低い第２屈折率を有する、表示装置が提供される。
【図面の簡単な説明】
【０００６】
【図１】図１は、実施形態１の表示装置ＤＳＰの構成例を示す断面図である。
【図２】図２は、図１に示した表示装置ＤＳＰの主要部を示す分解斜視図である。
【図３】図３は、図１に示した表示パネルＰＮＬの一構成例を示す平面図である。
【図４】図４は、図１に示した表示パネルＰＮＬの一構成例を示す断面図である。
【図５】図５は、図１に示した表示装置ＤＳＰの第１変形例を示す平面図である。
【図６】図６は、図１に示した表示装置ＤＳＰの第２変形例を示す平面図である。
【図７Ａ】図７Ａは、図１に示した表示装置ＤＳＰの境界Ｂ１及びＢ２付近の一構成例を示す部分断面図である。
【図７Ｂ】図７Ｂは、図１に示した表示装置ＤＳＰの境界Ｂ１及びＢ２付近の他の構成例を示す部分断面図である。
【図７Ｃ】図７Ｃは、図１に示した表示装置ＤＳＰの境界Ｂ１及びＢ２付近の他の構成例を示す部分断面図である。
【図８】図８は、図１に示した表示装置ＤＳＰの端部Ｅ３１付近の部分断面図である。
【図９Ａ】図９Ａは、実施形態２の表示装置ＤＳＰの構成例を示す断面図である。
【図９Ｂ】図９Ｂは、表示装置ＤＳＰの他の構成例を示す断面図である。
【図１０】図１０は、実施形態３の表示装置ＤＳＰの構成例を示す断面図である。
【図１１】図１１は、実施形態４の表示装置ＤＳＰの構成例を示す断面図である。
【図１２】図１２は、図１１に示した表示装置ＤＳＰの境界Ｂ１及びＢ２付近のそれぞれの部分断面図である。
【図１３】図１３は、表示装置ＤＳＰの他の構成例を示す断面図である。
【図１４】図１４は、実施形態５の表示装置ＤＳＰの構成例を示す断面図である。
【図１５】図１５は、実施形態６の表示装置ＤＳＰの構成例を示す断面図である。
【図１６】図１６は、図１５に示した表示装置ＤＳＰの境界Ｂ１付近の部分断面図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
［実施形態１］  
図１は、実施形態１の表示装置ＤＳＰの構成例を示す断面図である。一例では、第１方向Ｘ、第２方向Ｙ、及び、第３方向Ｚは、互いに直交しているが、９０度以外の角度で交差していてもよい。第１方向Ｘ及び第２方向Ｙは、表示装置ＤＳＰを構成する基板の主面と平行な方向に相当し、第３方向Ｚは、表示装置ＤＳＰの厚さ方向に相当する。ここでは、第２方向Ｙ及び第３方向Ｚによって規定されるＹ−Ｚ平面における表示装置ＤＳＰの一部の断面を示している。本明細書において、第１基板ＳＵＢ１から第２基板ＳＵＢ２に向かう方向を「上側」（あるいは、単に上）と称し、第２基板ＳＵＢ２から第１基板ＳＵＢ１に向かう方向を「下側」（あるいは、単に下）と称する。また、第３方向Ｚを示す矢印の先端側に表示装置ＤＳＰを観察する観察位置があるものとし、この観察位置から、第１方向Ｘ及び第２方向Ｙで規定されるＸ−Ｙ平面に向かって見ることを平面視という。
【０００９】
表示装置ＤＳＰは、表示パネルＰＮＬと、導光素子１００及び２００と、光源素子ＬＵ１及びＬＵ２と、を備えている。表示パネルＰＮＬは、導光素子１００と導光素子２００との間に位置し、導光素子１００、表示パネルＰＮＬ、及び、導光素子２００の順に第３方向Ｚに沿って並んでいる。
【００１０】
表示パネルＰＮＬは、第１基板ＳＵＢ１と、第２基板ＳＵＢ２と、液晶層ＬＣと、を備えている。第１基板ＳＵＢ１及び第２基板ＳＵＢ２は、シール４０によって接着されている。液晶層ＬＣは、第１基板ＳＵＢ１と第２基板ＳＵＢ２との間に位置し、シール４０によって封止されている。シール４０で囲まれた内側の領域は、画像を表示する表示部ＤＡを含んでいる。第１基板ＳＵＢ１は、主面ＳＵＢ１Ｂと、主面ＳＵＢ１Ｂと液晶層ＬＣとの間に位置するスイッチング素子ＳＷ及び画素電極ＰＥと、端部Ｅ１１及びＥ１２と、を有している。第１基板ＳＵＢ１は、屈折率ｎ０を有している。第２基板ＳＵＢ２は、主面ＳＵＢ２Ａと、主面ＳＵＢ２Ａと液晶層ＬＣとの間に位置する共通電極ＣＥと、端部Ｅ２１及びＥ２２と、を有している。第２基板ＳＵＢ２は、屈折率ｎ１０を有している。複数の画素電極ＰＥ及び共通電極ＣＥは、表示部ＤＡに位置している。画素電極ＰＥは、スイッチング素子ＳＷと電気的に接続されている。共通電極ＣＥは、複数の画素電極ＰＥと対向している。なお、表示パネルＰＮＬのより具体的な構造については後述する。
【００１１】
端部Ｅ１１及びＥ１２、及び、端部Ｅ２１及びＥ２２は、それぞれ第１方向Ｘに沿って延出している。端部Ｅ１１は端部Ｅ２１に近接し、端部Ｅ１２は端部Ｅ２２に近接している。図１に示した例では、端部Ｅ１２及びＥ２２は重畳しているが、重畳しなくてもよい。第１基板ＳＵＢ１は、端部Ｅ１１と端部Ｅ２１との間に、延出部Ｅｘを有している。ＩＣチップ１は、延出部Ｅｘに接続されている。ＩＣチップ１は、例えば、画像表示に必要な信号を出力するディスプレイドライバなどを内蔵している。また、延出部Ｅｘには、図示を省略した配線基板２乃至４も接続されている。
【００１２】
光源素子ＬＵ１は、延出部Ｅｘの直下に位置している。光源素子ＬＵ１は、発光素子ＥＭ１と、配線基板Ｆ１と、を備えている。発光素子ＥＭ１は、例えば、発光ダイオードである。後述する複数の発光素子ＥＭ１は、配線基板Ｆ１に接続されている。図１に示した例では、配線基板Ｆ１は、第１基板ＳＵＢ１と発光素子ＥＭ１との間に位置している。なお、発光素子ＥＭ１は、第１基板ＳＵＢ１と配線基板Ｆ１との間に位置してもよい。
【００１３】
導光素子１００は、主面ＳＵＢ１Ｂに対向している。導光素子１００は、導光板ＬＧ１と、透明層１１０及び１２０と、を備えている。導光板ＬＧ１は、第１基板ＳＵＢ１（あるいは主面ＳＵＢ１Ｂ）に対向する主面ＬＧ１Ａと、主面ＬＧ１Ａの反対側に位置する主面ＬＧ１Ｂと、発光素子ＥＭ１に対向する端部Ｅ３１と、端部Ｅ３１の反対側に位置する端部Ｅ３２と、を有している。図１に示した例では、発光素子ＥＭ１は、端部Ｅ３１から離間しているが、端部Ｅ３１に接していてもよい。導光板ＬＧ１は、屈折率ｎ１を有している。  
透明層１１０及び１２０は、第１基板ＳＵＢ１と導光板ＬＧ１との間に位置している。透明層１１０は、主面ＬＧ１Ａに接して配置され、屈折率ｎ１とは異なる屈折率ｎ２を有している。透明層１２０は、主面ＬＧ１Ａに接して配置され、屈折率ｎ２とは異なる屈折率ｎ３を有している。より具体的には、透明層１１０及び１２０は、液晶層ＬＣと導光板ＬＧ１との間に位置し、表示部ＤＡと重畳している。透明層１１０は、主面ＬＧ１Ａのうち、端部Ｅ３１に近接する側に位置し、端部Ｅ３２に近接する側には設けられていない。また、透明層１１０は、表示部ＤＡのうち、光源素子ＬＵ１に近接する側の画素電極ＰＥと重畳している。透明層１２０は、主面ＬＧ１Ａのうち、透明層１１０と端部Ｅ３２との間に位置している。透明層１１０は、透明層１２０より端部Ｅ３１に近い位置に配置されている。透明層１１０と透明層１２０とは、境界Ｂ１で接している。これらの透明層１１０及び１２０は、接着層ＡＤ１によって主面ＳＵＢ１Ｂに接着されている。  
【００１４】
本明細書において、長さとは、第２方向Ｙに沿った距離とする。透明層１１０は、端部Ｅ３１から端部Ｅ３２に向かって長さＬ１１を有している。長さＬ１１は、例えば端部Ｅ３１から境界Ｂ１までの長さに相当する。透明層１２０は、端部Ｅ３２から端部Ｅ３１に向かって長さＬ１２を有している。長さＬ１２は、例えば端部Ｅ３２から境界Ｂ１までの長さに相当する。導光板ＬＧ１は、端部Ｅ３１と端部Ｅ３２との間に長さＬ１３を有している。長さＬ１１は、長さＬ１２と同等、または、長さＬ１２よりも短い。また、長さＬ１１は、長さＬ１３の１／３以上であることが望ましい。
【００１５】
透明層１２０の屈折率ｎ３は、透明層１１０の屈折率ｎ２よりも高い。また、透明層１１０の屈折率ｎ２は、導光板ＬＧ１の屈折率ｎ１よりも低い。一例では、屈折率ｎ０、屈折率ｎ１及びｎ３は同等である。ここでの「同等」とは、屈折率差がゼロの場合に限らず、屈折率差が０．０１以下の場合を含む。例えば、屈折率ｎ０、屈折率ｎ１及びｎ３は１．５程度であり、屈折率ｎ２は１．０〜１．４程度である。
【００１６】
導光素子２００は、主面ＳＵＢ２Ａに対向している。導光素子２００は、導光板ＬＧ２と、透明層２１０及び２２０と、を備えている。導光板ＬＧ２は、第２基板ＳＵＢ２（あるいは主面ＳＵＢ２Ａ）と対向する主面ＬＧ２Ｂと、主面ＬＧ２Ｂの反対側に位置する主面ＬＧ２Ａと、端部Ｅ３１に近接した端部Ｅ４１と、端部Ｅ４１の反対側に位置し端部Ｅ３２に近接した端部Ｅ４２と、を有している。図１に示した例では、端部Ｅ４１は端部Ｅ３１に重畳し、端部Ｅ４２は端部Ｅ３２に重畳している。導光板ＬＧ２は、屈折率ｎ５を有している。  
透明層２１０及び２２０は、第２基板ＳＵＢ２と導光板ＬＧ２との間に位置している。透明層２１０は、主面ＬＧ２Ｂに接して配置され、屈折率ｎ５とは異なる屈折率ｎ６を有している。透明層２２０は、主面ＬＧ２Ｂに接して配置され、屈折率ｎ６とは異なる屈折率ｎ７を有している。より具体的には、透明層２１０及び２２０は、液晶層ＬＣと導光板ＬＧ２との間に位置し、表示部ＤＡと重畳している。透明層２１０は、主面ＬＧ２Ｂのうち、端部Ｅ４２に近接する側に位置し、端部Ｅ４１に近接する側には設けられていない。透明層２２０は、主面ＬＧ２Ｂのうち、透明層２１０と端部Ｅ４１との間に位置している。透明層２１０は、透明層２２０より端部Ｅ４２に近い位置に配置されている。透明層２１０と透明層２２０とは、境界Ｂ２で接している。これらの透明層２１０及び２２０は、接着層ＡＤ２によって主面ＳＵＢ２Ａに接着されている。  
【００１７】
透明層２１０は、端部Ｅ４２から端部Ｅ４１に向かって長さＬ２１を有している。長さＬ２１は、例えば端部Ｅ４２から境界Ｂ２までの長さに相当する。透明層２２０は、端部Ｅ４１から端部Ｅ４２に向かって長さＬ２２を有している。長さＬ２２は、例えば端部Ｅ４１から境界Ｂ２までの長さに相当する。導光板ＬＧ２は、端部Ｅ４１と端部Ｅ４２との間に長さＬ２３を有している。長さＬ２１は、長さＬ２２と同等、または、長さＬ２２よりも短い。また、長さＬ２１は、長さＬ２３の１／３以上であることが望ましい。
【００１８】
透明層２１０は、透明層１１０の上に重畳しないことが望ましい。つまり、境界Ｂ２は、境界Ｂ１の直上に位置するか、あるいは、透明層１２０の直上に位置していることが望ましい。図１に示した例では、境界Ｂ２は境界Ｂ１の直上に位置しており、透明層２２０は透明層１１０の上に重畳し、透明層２１０は透明層１２０の上に重畳している。
【００１９】
透明層２２０の屈折率ｎ７は、透明層２１０の屈折率ｎ６よりも高い。また、透明層２１０の屈折率ｎ６は、導光板ＬＧ２の屈折率ｎ５よりも低い。一例では、屈折率ｎ５、屈折率ｎ７及びｎ１０は、上記の屈折率ｎ１と同等であり、屈折率ｎ６は、上記の屈折率ｎ２同等である。
【００２０】
光源素子ＬＵ２は、端部Ｅ４２に位置している。光源素子ＬＵ２は、発光素子ＥＭ２と、配線基板Ｆ２と、を備えている。後述する複数の発光素子ＥＭ２は、配線基板Ｆ２に接続されている。図１に示した例では、発光素子ＥＭ２は、端部Ｅ４２に接しているが、接していなくてもよい。
【００２１】
導光板ＬＧ１及びＬＧ２は、例えば、透明ガラスや、ポリメタクリル酸メチル（ＰＭＭＡ）やポリカーボネート(ＰＣ)などの透明樹脂によって形成されている。透明層１１０及び透明層２１０は、例えば、シロキサン系樹脂や、フッ素系樹脂などの有機材料によって形成されている。透明層１２０及び透明層２２０は、例えば、アクリル樹脂などの有機材料によって形成されている。透明層１１０及び１２０、及び、透明層２１０及び２２０は、例えば、発光素子ＥＭ１及びＥＭ２から出射される光の最大波長以上の厚みを有している。一例では、透明層１１０及び１２０、及び、透明層２１０及び２２０の第３方向Ｚに沿った厚みは、１μｍ以上である。導光板ＬＧ１の主面ＬＧ１Ｂ及び導光板ＬＧ２の主面ＬＧ２Ａは、空気に接している。
【００２２】
図２は、図１に示した表示装置ＤＳＰの主要部を示す分解斜視図である。表示パネルＰＮＬ、及び、導光素子１００及び２００は、Ｘ−Ｙ平面とほぼ平行な平板状に形成されている。複数の発光素子ＥＭ１は、第１方向Ｘにほぼ等間隔をおいて並び、それぞれ端部Ｅ３１に向けて光を出射する。複数の発光素子ＥＭ２は、第１方向Ｘにほぼ等間隔をおいて並び、それぞれ端部Ｅ４２に向けて光を出射する。導光素子１００において、透明層１１０及び１２０は、いずれも導光板ＬＧ１の幅Ｗ１０と同等の幅を有している。導光素子２００において、透明層２１０及び２２０は、いずれも導光板ＬＧ２の幅Ｗ２０と同等の幅を有している。ここでの幅とは、第１方向Ｘに沿った長さに相当する。境界Ｂ１及びＢ２は、第１方向Ｘに沿って延出している。図２に示した例では、境界Ｂ１及びＢ２は、直線状に形成されている。また、境界Ｂ２は、境界Ｂ１の上に重畳している。
【００２３】
次に、再び図１に戻り、発光素子ＥＭ１及び発光素子ＥＭ２から出射された光について説明する。  
発光素子ＥＭ１から出射された光Ｌ１は、端部Ｅ３１から導光板ＬＧ１に入射する。端部Ｅ３１からの入射光Ｌ１のうち、導光板ＬＧ１から透明層１１０に向かって進行する光は、導光板ＬＧ１と透明層１１０との界面で反射される。また、入射光Ｌ１のうち、主面ＬＧ１Ｂに向かって進行する光は、導光板ＬＧ１と空気層との界面で反射される。このように、入射光Ｌ１は、端部Ｅ３１の近傍では、繰り返し反射されながら導光板ＬＧ１内を進行する。導光板ＬＧ１内を進行する入射光Ｌ１のうち、導光板ＬＧ１から透明層１２０に向かって進行する光は、第１主面ＬＧ１Ａから透明層１２０を透過する。透明層１２０を透過した光Ｌ１は、主面ＳＵＢ１Ｂから表示パネルＰＮＬに入射する。つまり、端部Ｅ３１の近傍において、端部Ｅ３１からの入射光Ｌ１の表示パネルＰＮＬへの入射が抑制される。
【００２４】
同様に、発光素子ＥＭ２から出射された光Ｌ２は、端部Ｅ４２から導光板ＬＧ２に入射し、端部Ｅ４２の近傍では、繰り返し反射されながら導光板ＬＧ２内を進行する。導光板ＬＧ２から透明層２２０に向かって進行する光Ｌ２は、主面ＬＧ２Ｂから透明層２２０を透過し、主面ＳＵＢ２Ａから表示パネルＰＮＬに入射する。つまり、端部Ｅ４２の近傍において、端部Ｅ４２からの入射光Ｌ２の表示パネルＰＮＬへの入射が抑制される。
【００２５】
透明層１１０及び２２０は重畳しているため、表示部ＤＡのうち、透明層１１０に重畳する領域ＤＡ１は、発光素子ＥＭ２からの出射光によって照明される。また、透明層１２０及び２１０は重畳しているため、表示部ＤＡのうち、透明層２１０に重畳する領域ＤＡ２は、発光素子ＥＭ１からの出射光によって照明される。
【００２６】
一般的に、間隔をおいて並んだ複数の発光素子からの出射光は、それぞれ拡散しながら導光板の内部を進行するが、発光素子の近傍では、互いの出射光が十分に混ざらないことがある。このため、このような光を照明光として利用した表示装置では、表示部を平面視した際に、強度の差に起因したスジ状のムラが視認されるおそれがある。照明光の強度の差は、発光素子から離れた位置ほど低減される。しかしながら、表示部と発光素子との距離を拡大することは、表示装置の額縁幅の拡大を招く。
【００２７】
実施形態１によれば、発光素子ＥＭ１が端部Ｅ３１に近接していても、端部Ｅ３１の近傍では、端部Ｅ３１からの入射光Ｌ１が導光板ＬＧ１の内部で反射して導光されるため、表示パネルＰＮＬへの入射が抑制される。また、端部Ｅ３１の近傍に重畳する領域ＤＡ１は、発光素子ＥＭ１からの光Ｌ１がほとんど入射しないものの、発光素子ＥＭ２からの光Ｌ２によって照明される。領域ＤＡ１は、発光素子ＥＭ２から出射された光Ｌ２が互いに混ざり合うのに十分な距離だけ端部Ｅ４２から離れている。このため、領域ＤＡ１において、照明光のムラに起因した表示品位の低下を抑制することができる。
【００２８】
同様に、発光素子ＥＭ２が端部Ｅ４２に近接していても、端部Ｅ４２の近傍では、端部Ｅ４２からの入射光Ｌ２の表示パネルＰＮＬへの入射が抑制される。端部Ｅ４２の近傍に重畳する領域ＤＡ２は、発光素子ＥＭ２からの光Ｌ２がほとんど入射しないものの、発光素子ＥＭ１からの光Ｌ１によって照明される。領域ＤＡ２は、発光素子ＥＭ１から出射された光Ｌ１が互いに混ざり合うのに十分な距離だけ端部Ｅ３１から離れている。このため、領域ＤＡ２において、照明光のムラに起因した表示品位の低下を抑制することができる。
【００２９】
また、発光素子ＥＭ１が端部Ｅ３１に近接し、発光素子ＥＭ２が端部Ｅ４２に近接しているため、端部Ｅ３１に沿った額縁幅及び端部Ｅ４２に沿った額縁幅の拡大を抑制することができる。
【００３０】
図１及び図２に示した構成例において、導光板ＬＧ１及びＬＧ２は、それぞれ第１導光板及び第２導光板に相当し、発光素子ＥＭ１及びＥＭ２は、それぞれ第１発光素子及び第２発光素子に相当し、主面ＬＧ１Ａは第１主面に相当し、主面ＬＧ１Ｂは第２主面に相当し、主面ＬＧ２Ｂは第３主面に相当し、主面ＬＧ２Ａは第４主面に相当し、端部Ｅ３１は第１端部に相当し、端部Ｅ３２は第２端部に相当し、端部Ｅ４２は第３端部に相当し、端部Ｅ４１は第４端部に相当し、透明層１１０及び１２０はそれぞれ第１層及び第２層に相当し、透明層２１０及び２２０はそれぞれ第４層及び第５層に相当し、屈折率ｎ１乃至ｎ３はそれぞれ第１屈折率乃至第３屈折率に相当し、屈折率ｎ５乃至ｎ７はそれぞれ第５屈折率乃至第７屈折率に相当し、長さＬ１１乃至Ｌ１３はそれぞれ第１長さ乃至第３長さに相当し、長さＬ２１乃至Ｌ２３はそれぞれ第４長さ乃至第６長さに相当する。
【００３１】
図３は、図１に示した表示パネルＰＮＬの一構成例を示す平面図である。本実施形態においては、表示パネルＰＮＬの一例として、高分子分散型液晶を適用した表示パネルについて説明する。
【００３２】
第１基板ＳＵＢ１及び第２基板ＳＵＢ２は、平面視で重畳している。表示パネルＰＮＬは、画像を表示する表示部ＤＡ、及び、表示部ＤＡを囲む額縁状の非表示部ＮＤＡを備えている。表示部ＤＡは、第１基板ＳＵＢ１及び第２基板ＳＵＢ２が重畳している領域に位置している。表示パネルＰＮＬは、表示部ＤＡにおいて、ｎ本の走査線Ｇ、及び、ｍ本の信号線Ｓを備えている。なお、ｎ及びｍはいずれも正の整数であり、ｎがｍと等しくてもよいし、ｎがｍとは異なっていてもよい。複数の走査線Ｇは、それぞれ第１方向Ｘに延出し、第２方向Ｙに間隔をおいて並んでいる。複数の信号線Ｓは、それぞれ第２方向Ｙに延出し、第１方向Ｘに間隔をおいて並んでいる。
【００３３】
各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ画素ＰＸの各々におけるスイッチング素子ＳＷと電気的に接続されている。信号線Ｓは、第２方向Ｙに並んだ画素ＰＸの各々におけるスイッチング素子ＳＷと電気的に接続されている。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣを駆動している。容量ＣＳは、例えば、共通電極ＣＥと同電位の電極、及び、画素電極ＰＥと同電位の電極の間に形成される。
【００３４】
第１基板ＳＵＢ１は、第１方向Ｘに沿って延出した端部Ｅ１１及びＥ１２と、第２方向Ｙに沿って延出した端部Ｅ１３及びＥ１４とを有している。第２基板ＳＵＢ２は、第１方向Ｘに沿って延出した端部Ｅ２１及びＥ２２と、第２方向Ｙに沿って延出した端部Ｅ２３及びＥ２４とを有している。図３に示した例では、平面視で、端部Ｅ１２及びＥ２２、端部Ｅ１３及びＥ２３、及び、端部Ｅ１４及びＥ２４は、それぞれ重畳しているが、重畳していなくてもよい。端部Ｅ２１は、平面視で、端部Ｅ１１と表示部ＤＡとの間に位置している。
【００３５】
配線基板２乃至４は、それぞれ延出部Ｅｘに接続され、この順に第１方向Ｘに並んでいる。配線基板２は、ゲートドライバＧＤ１を備えている。配線基板３は、ソースドライバＳＤを備えている。配線基板４は、ゲートドライバＧＤ２を備えている。なお、配線基板２乃至４は、単一の配線基板に置換されてもよい。  
複数の信号線Ｓは、非表示部ＮＤＡに引き出され、ソースドライバＳＤに接続されている。複数の走査線Ｇは、非表示部ＮＤＡに引き出され、ゲートドライバＧＤ１及びＧＤ２に接続されている。図３に示した例では、奇数番目の走査線Ｇは、端部Ｅ１４と表示部ＤＡとの間に引き出され、ゲートドライバＧＤ２に接続されている。また、偶数番目の走査線Ｇは、端部Ｅ１３と表示部ＤＡとの間に引き出され、ゲートドライバＧＤ１に接続されている。なお、ゲートドライバＧＤ１及びＧＤ２と各走査線Ｇとの接続関係は図３に示した例に限らない。
【００３６】
図４は、図１に示した表示パネルＰＮＬの一構成例を示す断面図である。第１基板ＳＵＢ１は、透明基板１０、走査線Ｇ、絶縁層１２、画素電極ＰＥ、及び、配向膜１４を備えている。第２基板ＳＵＢ２は、透明基板２０、共通電極ＣＥ、及び、配向膜２２を備えている。透明基板１０及び２０は、ガラス基板やプラスチック基板などの絶縁基板である。透明基板１０の下面は、主面ＳＵＢ１Ｂに相当する。透明基板２０の上面は、主面ＳＵＢ２Ａに相当する。走査線Ｇは、透明基板１０の上に位置し、絶縁層１２に覆われている。走査線Ｇは、モリブデン、タングステン、アルミニウム、チタン、銀などの不透明な金属材料によって形成されている。絶縁層１２は、透明な絶縁材料によって形成されている。画素電極ＰＥ及び共通電極ＣＥは、インジウム錫酸化物（ＩＴＯ）やインジウム亜鉛酸化物（ＩＺＯ）などの透明導電材料によって形成されている。画素電極ＰＥは、画素ＰＸ毎に配置されている。共通電極ＣＥは、複数の画素ＰＸに亘って配置されている。配向膜１４及び２２は、Ｘ−Ｙ平面に略平行な配向規制力を有する水平配向膜であってもよいし、第３方向Ｚに略平行な配向規制力を有する垂直配向膜であってもよい。
【００３７】
液晶層ＬＣは、配向膜１４と配向膜２２との間に位置している。液晶層ＬＣは、ポリマー３１と、液晶分子３２と、を含む高分子分散型液晶を備えている。一例では、ポリマー３１は、液晶性ポリマーである。ポリマーは、例えば、液晶性モノマーが配向膜１４及び２２の配向規制力によって所定の方向に配向した状態で重合されることによって得られる。一例では、配向膜１４及び２２の配向処理方向は第１方向Ｘであり、配向膜１４及び２２は第１方向Ｘに沿った配向規制力を有している。このため、ポリマー３１は、第１方向Ｘに沿って延出した筋状に形成されている。液晶分子３２は、ポリマー３１の隙間に分散され、その長軸が第１方向Ｘに沿うように配向される。  
ポリマー３１及び液晶分子３２の各々は、光学異方性あるいは屈折率異方性を有している。液晶分子３２は、正の誘電率異方性を有するポジ型の液晶性分子であってもよいし、負の誘電率異方性を有するネガ型の液晶性分子であってもよい。ポリマー３１及び液晶分子３２の各々の電界に対する応答性は異なる。ポリマー３１の電界に対する応答性は、液晶分子３２の電界に対する応答性より低い。なお、図４中の拡大部分において、筋状のポリマー３１の断面は右上がりの斜線で示し、液晶分子３２は右下がりの斜線で示している。
【００３８】
［実施形態１の第１変形例］  
図５は、図１に示した表示装置ＤＳＰの第１変形例を示す平面図である。ここでは、平面視で、導光素子１００及び２００が重畳した状態を図示しており、表示装置ＤＳＰのその他の構成の図示を省略している。図５に示した第１変形例は、図２に示した構成例と比較して、導光素子１００における境界Ｂ１及び導光素子２００における境界Ｂ２がそれぞれ波線状に形成された点で相違している。導光板ＬＧ１及びＬＧ２は、平面視で、重畳している。図５に示した例では、端部Ｅ３１及び端部Ｅ４１、端部Ｅ３２及びＥ４２は、それぞれ重畳しているが、重畳していなくてもよい。また、境界Ｂ１及びＢ２は、重畳しているが、重畳していなくてもよい。境界Ｂ１及びＢ２は、いずれも三角波状に形成されているが、これに限らず、正弦波状、矩形波状等の形状に形成されてもよい。  
導光素子１００において、透明層１１０は端部Ｅ３１と境界Ｂ１との間に配置され、透明層１２０は端部Ｅ３２と境界Ｂ１との間に配置される。導光素子２００において、透明層２１０は端部Ｅ４２と境界Ｂ２との間に配置され、透明層２２０は端部Ｅ４１と境界Ｂ２との間に配置される。  
このような第１変形例によれば、上記したのと同様の効果が得られる。加えて、境界Ｂ１及びＢ２の視認性を低減することができる。
【００３９】
［実施形態１の第２変形例］  
図６は、図１に示した表示装置ＤＳＰの第２変形例を示す平面図である。ここでは、図５と同様に、平面視で、導光素子１００及び２００が重畳した状態を図示している。図６に示した第２変形例は、上記の第１変形例と比較して、境界Ｂ１及びＢ２のうちの一方が直線状に形成され、他方が波線状に形成された点で相違している。図６に示した例では、境界Ｂ１が直線状に形成され、境界Ｂ２が波線状に形成されている。なお、境界Ｂ２が直線状に形成され、境界Ｂ１が波線状に形成されてもよい。  
このような第２変形例においても、上記したのと同様の効果が得られる。
【００４０】
［実施形態１の第３変形例］  
図７Ａ〜図７Ｃに示す第３変形例は、図１、図５、及び図６に示す境界Ｂ１及びＢ２に、遮光層を配置した構成例に相当する。
図７Ａは、図１に示した表示装置ＤＳＰの境界Ｂ１及びＢ２付近の一構成例を示す部分断面図である。第１基板ＳＵＢ１は、金属配線ＭＬを備えている。金属配線ＭＬは、境界Ｂ１の上に重畳し、境界Ｂ２の下に重畳している。つまり、金属配線ＭＬは、境界Ｂ１と境界Ｂ２との間に位置している。金属配線ＭＬは、例えば、上記した遮光性を有する金属材料によって形成されている。一例では、金属配線ＭＬは、図３に示した走査線Ｇであるが、図３に示した信号線Ｓや他の配線であってもよい。金属配線ＭＬは、遮光体として機能する。  
導光素子１００において、導光板ＬＧ１を進行し、境界Ｂ１に到達した光は、境界Ｂ１で屈折し、透明基板１０内を進行し、金属配線ＭＬで遮光される。このため、境界Ｂ１で屈折した光が、全反射条件から外れたとしても、光が表示パネルＰＮＬの外に出射されることによる表示品位の低下を抑制することができる。導光素子２００においても、境界Ｂ２で屈折した光は金属配線ＭＬで遮光されるため、同様の効果が得られる。
【００４１】
図７Ｂは、図１に示した表示装置ＤＳＰの境界Ｂ１及びＢ２付近の他の構成例を示す部分断面図である。導光素子１００は、遮光層ＢＭ１を備えている。遮光層ＢＭ１は、第１基板ＳＵＢ１と導光板ＬＧ１との間に位置し、境界Ｂ１に重畳している。導光素子２００は、遮光層ＢＭ２を備えている。遮光層ＢＭ２は、第２基板ＳＵＢ２と導光板ＬＧ２との間に位置し、境界Ｂ２に重畳している。これらの遮光層ＢＭ１及びＢＭ２は、例えば、黒色テープによって形成されてもよいし、黒色樹脂などの不透明な有機材料によって形成されてもよいし、遮光性を有する金属材料によって形成されてもよい。図７Ｂに示した例では、遮光層ＢＭ１は透明基板１０に接し、遮光層ＢＭ２は透明基板２０に接している。透明層１１０の一部１１１及び透明層１２０の一部１２１は、それぞれ遮光層ＢＭ１の下に重畳している。透明層２１０の一部２１１及び透明層２２０の一部２２１は、それぞれ遮光層ＢＭ２の上に重畳している。  
このような構成例においても、図７Ａを参照して説明した構成例と同様の効果が得られる。
【００４２】
図７Ｃは、図１に示した表示装置ＤＳＰの境界Ｂ１及びＢ２付近の他の構成例を示す部分断面図である。第１基板ＳＵＢ１は金属配線ＭＬを備え、導光素子１００は遮光層ＢＭ１を備え、導光素子２００は遮光層ＢＭ２を備えている。遮光層ＢＭ１は導光板ＬＧ１に接し、遮光層ＢＭ２は導光板ＬＧ２に接している。透明層１１０の一部１１１及び透明層１２０の一部１２１は、それぞれ遮光層ＢＭ１の上に重畳している。透明層２１０の一部２１１及び透明層２２０の一部２２１は、遮光層ＢＭ２の下に重畳している。つまり、境界Ｂ１は遮光層ＢＭ１と金属配線ＭＬとの間に位置し、境界Ｂ２は遮光層ＢＭ２と金属配線ＭＬとの間に位置している。  
第２方向Ｙに沿った幅について、遮光層ＢＭ１は幅Ｗ３１を有し、遮光層ＢＭ２は幅Ｗ３２を有し、金属配線ＭＬは幅Ｗ３３を有している。一例では、幅Ｗ３１及びＷ３２は、同等であり、幅Ｗ３３よりも大きい。なお、幅Ｗ３１乃至Ｗ３３は、すべてが同等であってもよい。また、幅Ｗ３１及びＷ３２は、幅Ｗ３３よりも小さくてもよい。  
このような構成例においても、図７Ａを参照して説明した構成例と同様の効果が得られる。
【００４３】
［実施形態１の第４変形例］  
図８に示す第４変形例は、図１に示した発光素子に対向する端部に、遮光層を設けた構成例に相当する。
図８は、図１に示した表示装置ＤＳＰの端部Ｅ３１付近の部分断面図である。なお、導光素子２００の図示は省略するが、導光素子２００は、端部Ｅ４２付近において、図８に示す端部Ｅ３１付近と同様の構造を有している。  
導光素子１００は、さらに、遮光層ＢＭ３及びＢＭ４を備えている。遮光層ＢＭ３は、透明層１１０と第１基板ＳＵＢ１との間に位置している。遮光層ＢＭ４は、導光板ＬＧ１の主面ＬＧ１Ｂに位置している。これらの遮光層ＢＭ３及びＢＭ４は、上記の遮光層ＢＭ１と同様の部材によって形成されている。遮光層ＢＭ３及び遮光層ＢＭ４は、端部Ｅ３１に近接している。遮光層ＢＭ３及び遮光層ＢＭ４は、端部Ｅ３１から端部Ｅ３２に向かってそれぞれ長さＬ１７及びＬ１８を有している。長さＬ１７及びＬ１８は、いずれも長さＬ１１より短い。長さＬ１７は、長さＬ１８と同等であってもよいし、長さＬ１８と異なっていてもよい。
【００４４】
発光素子ＥＭ１から出射された光は、主面ＬＧ１Ａにおいて全反射しない光ＬＡと、主面ＬＧ１Ｂにおいて全反射しない光ＬＢと、を含む場合がある。例えば、導光板ＬＧ１の屈折率が１．５であり、透明層１１０及び空気層の屈折率が１．０である場合、入射角θαが約４０°を超える光ＬＡは、導光板ＬＧ１と透明層１１０との界面での全反射条件から外れ、透明層１１０に到達する。また、入射角θβが約４０°を超える光ＬＢは、導光板ＬＧ１と空気層との界面での全反射条件から外れ、空気層に到達する。  
遮光層ＢＭ３は、透明層１１０に到達した光ＬＡを遮光し、遮光層ＢＭ４は、空気層に到達した光ＬＢを遮光する。このため、表示品位の低下を抑制することができる。
【００４５】
なお、遮光層ＢＭ３及びＢＭ４は、光吸収性の材料によって形成されてもよいが、光反射性の材料によって形成されてもよい。すなわち、遮光層ＢＭ３が光ＬＡを反射し、遮光層ＢＭ４が光ＬＢを反射することで、光ＬＡ及びＬＢを吸収する場合と比較して、光の利用効率の低下を抑制することができる。
【００４６】
［実施形態２］  
図９Ａは、実施形態２の表示装置ＤＳＰの構成例を示す断面図である。表示装置ＤＳＰは、表示パネルＰＮＬ１及びＰＮＬ２と、光源素子ＬＵ３及びＬＵ４と、導光素子３００及び４００と、を備えている。  
表示パネルＰＮＬ１及びＰＮＬ２は、図１に示した表示パネルＰＮＬと同様の構成を有しており、以下簡単に説明する。表示パネルＰＮＬ１は、第３基板ＳＵＢ３と、第４基板ＳＵＢ４と、第３基板ＳＵＢ３と第４基板ＳＵＢ４との間に位置する液晶層ＬＣＡと、を備えている。ＩＣチップ１Ａは、第３基板ＳＵＢ３に接続されている。表示パネルＰＮＬ２は、第５基板ＳＵＢ５と、第６基板ＳＵＢ６と、第５基板ＳＵＢ５と第６基板ＳＵＢ６との間に位置する液晶層ＬＣＢと、を備えている。ＩＣチップ１Ｂは、第５基板ＳＵＢ５に接続されている。第３基板ＳＵＢ３及び第５基板ＳＵＢ５は第１基板ＳＵＢ１と同様の構成を有し、第４基板ＳＵＢ４及び第６基板ＳＵＢ６は第２基板ＳＵＢ２と同様の構成を有している。
【００４７】
光源素子ＬＵ３及びＬＵ４は、図１に示した光源素子ＬＵ１と同様の構成を有している。すなわち、光源素子ＬＵ３は、配線基板Ｆ３と、配線基板Ｆ３に接続された発光素子ＥＭ３と、を備えている。光源素子ＬＵ４は、配線基板Ｆ４と、配線基板Ｆ４に接続された発光素子ＥＭ４と、を備えている。
【００４８】
導光素子３００は、導光板ＬＧ３と、透明層３１０と、を備えている。透明層３１０は、導光板ＬＧ３の主面ＬＧ３Ａに接して配置されている。図９Ａに示した例では、透明層３１０は、導光板ＬＧ３の端部Ｅ５１から端部Ｅ５２に亘る全域に設けられている。導光板ＬＧ３は屈折率ｎ１１を有し、透明層３１０は屈折率ｎ１１よりも低い屈折率ｎ１２を有している。透明層３１０は、接着層ＡＤ３により第３基板ＳＵＢ３に接着されている。
【００４９】
導光素子４００は、導光板ＬＧ４と、透明層４１０と、を備えている。透明層４１０は、導光板ＬＧ４の主面ＬＧ４Ｂに接して配置されている。図９Ａに示した例では、透明層４１０は、導光板ＬＧ４の端部Ｅ５３から端部Ｅ５４に亘る全域に設けられている。導光板ＬＧ４は屈折率ｎ１４を有し、透明層４１０は屈折率ｎ１４よりも低い屈折率ｎ１５を有している。透明層４１０は、接着層ＡＤ４により第５基板ＳＵＢ５に接着されている。
【００５０】
表示パネルＰＮＬ１は、端部Ｅ５５において、接着層Ｃ１により、導光板ＬＧ４の端部Ｅ５４に接着されている。端部Ｅ５５は、ＩＣチップ１Ａとは反対側に位置し、第３基板ＳＵＢ３の端部Ｅ５５１及び第４基板ＳＵＢ４の端部Ｅ５５２を含む。  
表示パネルＰＮＬ２は、端部Ｅ５６において、接着層Ｃ１により、導光板ＬＧ３の端部Ｅ５２に接着されている。端部Ｅ５６は、ＩＣチップ１Ｂとは反対側に位置し、第５基板ＳＵＢ５の端部Ｅ５６１及び第６基板ＳＵＢ６の端部Ｅ５６２を含む。  
接着層Ｃ１は、導光板ＬＧ３及びＬＧ４と同等の屈折率を有する透明な光学接着層である。
【００５１】
このような表示装置ＤＳＰにおいて、発光素子ＥＭ３から出射された光Ｌ３は、端部Ｅ５１から導光板ＬＧ３に入射し、主面ＬＧ３Ａ及び主面ＬＧ３Ｂで繰り返し反射された後に、端部Ｅ５２から出射され、端部Ｅ５６から表示パネルＰＮＬ２に入射する。また、発光素子ＥＭ４から出射された光Ｌ４は、端部Ｅ５３から導光板ＬＧ４に入射し、主面ＬＧ４Ａ及び主面ＬＧ４Ｂで繰り返し反射された後に、端部Ｅ５４から出射され、端部Ｅ５５から表示パネルＰＮＬ１に入射する。  
このような実施形態２においても、上記の実施形態１と同様の効果が得られる。また、実施形態１の各変形例を実施形態２に適用してもよい。
図９Ａに示した構成例において、表示パネルＰＮＬ１及び２はそれぞれ第１表示パネル及び第２表示パネルに相当し、発光素子ＥＭ３及びＥＭ４はそれぞれ第１発光素子及び第２発光素子に相当し、透明層３１０及び４１０はそれぞれ第１層及び第２層に相当し、主面ＬＧ３Ａは第１主面に相当し、主面ＬＧ４Ｂは第２主面に相当し、端部Ｅ５１乃至Ｅ５６はそれぞれ第１端部乃至第６端部に相当し、屈折率ｎ１１及びｎ１２はそれぞれ第１屈折率及び第２屈折率に相当し、屈折率ｎ１４及びｎ１５はそれぞれ第３屈折率及び第４屈折率に相当する。
【００５２】
［実施形態２の変形例］  
図９Ｂは、表示装置ＤＳＰの他の構成例を示す断面図である。図９Ｂに示した構成例は、図９Ａに示した構成例と比較して、透明層３２０及び４２０が追加された点で相違している。
導光素子３００は、透明層３２０を備えている。透明層３２０は、導光板ＬＧ３の主面ＬＧ３Ｂに接して配置されている。透明層３２０は、端部Ｅ５１と端部Ｅ５２との間において主面ＬＧ３Ｂの略全面に亘って設けられ、導光板ＬＧ１を挟んで、透明層３１０と対向している。透明層３２０の屈折率ｎ１３は、導光板ＬＧ３の屈折率ｎ１１より低く、透明層３１０の屈折率ｎ１２と略同等である。  
導光素子４００は、透明層４２０を備えている。透明層４２０は、導光板ＬＧ４の主面ＬＧ４Ａに接して配置されている。透明層４２０は、端部Ｅ５３と端部Ｅ５４との間において主面ＬＧ４Ａの略全面に亘って設けられ、導光板ＬＧ４を挟んで、透明層４１０と対向している。透明層４２０の屈折率ｎ１６は、導光板ＬＧ４の屈折率ｎ１４より低く、透明層４１０の屈折率ｎ１５と略同等である。  
このような構成例においても、上記したのと同様の効果が得られる。
【００５３】
［実施形態３］  
図１０は、実施形態３の表示装置ＤＳＰの構成例を示す断面図である。図１０に示した構成例は、図９Ａに示した構成例と比較して、表示パネルＰＮＬ２及び導光素子４００を省略し、導光板ＬＧ３の端部Ｅ５２及び表示パネルＰＮＬ１の端部Ｅ５５に反射部材ＲＥが接着されている点で相違している。表示パネルＰＮＬ１、導光素子３００、及び、光源素子ＬＵ３についての説明は、図９Ａに示す構成例と重複するため省略する。  
反射部材ＲＥは、例えば、プリズム、さらに例えば、全反射プリズムである。すなわち、反射部材ＲＥは、３つの面ＲＳ１乃至ＲＳ３を有する三角柱体である。面ＲＳ１及びＲＳ２は、互いに直交する反射面である。反射部材ＲＥは、例えば、ガラスや樹脂などによって形成されている。反射層Ｒ１は、面ＲＳ１に接し、反射層Ｒ２は、面ＲＳ２に接している。反射層Ｒ１及びＲ２は、例えば、アルミニウムや銀などの反射性を有する金属で形成されている。  
透明な接着層Ｃ１は、面ＲＳ３と導光板ＬＧ３の端部Ｅ５２とを接着し、面ＲＳ３と第３基板ＳＵＢ３の端部Ｅ５５１とを接着し、面ＲＳ３と第４基板ＳＵＢ４の端部Ｅ５５２とを接着している。
【００５４】
このような表示装置ＤＳＰにおいて、発光素子ＥＭ３から出射された光Ｌ３は、端部Ｅ５１から導光板ＬＧ３に入射し、端部Ｅ５２から出射された後に、面ＲＳ３から反射部材ＲＥに入射する。反射部材ＲＥは、面ＲＳ３から入射した光Ｌ３を面ＲＳ１及びＲＳ２で反射した後に、再び面ＲＳ３から出射する。面ＲＳ３から出射された光Ｌ３は、端部Ｅ５５から表示パネルＰＮＬ１に入射する。  
このような実施形態３においても、上記の実施形態１と同様の効果が得られる。また、実施形態１の各変形例を実施形態２に適用してもよい。
【００５５】
図１０に示した構成例において、端部Ｅ５１乃至Ｅ５３は、それぞれ第１端部乃至第３端部に相当する。
【００５６】
［実施形態４］  
図１１は、実施形態４の表示装置ＤＳＰの構成例を示す断面図である。図１１に示した構成例は、図１に示した構成例と比較して、境界Ｂ１と境界Ｂ２とが重畳していない点で相違している。例えば、透明層１１０の長さＬ１１は導光板ＬＧ１の長さＬ１３の約１／３であり、透明層２１０の長さＬ２１は導光板ＬＧ２の長さＬ２３の約１／３である。つまり、光源素子ＬＵ１に近接する側では透明層１１０と透明層２２０とが重畳し、光源素子ＬＵ２に近接する側では透明層１２０と透明層２１０とが重畳し、境界Ｂ１と境界Ｂ２との間では透明層１２０と透明層２２０とが重畳している。  
表示部ＤＡは、透明層１１０に重畳する領域ＤＡ１、透明層２１０に重畳する領域ＤＡ２の他に、透明層１２０及び２２０に重畳する領域ＤＡ３を備えている。表示部ＤＡのうち、領域ＤＡ１は発光素子ＥＭ２からの光Ｌ２によって照明され、領域ＤＡ２は発光素子ＥＭ１からの光Ｌ１によって照明され、領域ＤＡ３は光Ｌ１及びＬ２の双方によって照明される。  
このような実施形態４によれば、上記の実施形態１と同様の効果が得られる。加えて、境界Ｂ１と境界Ｂ２との間において、表示パネルＰＮＬに入射する光量を増加することができる。
【００５７】
［実施形態４の第１変形例］
図１２は、図１１に示した表示装置ＤＳＰの境界Ｂ１及びＢ２付近のそれぞれの部分断面図である。図１２に示す構成例は、境界Ｂ１及びＢ２付近に遮光層を設けた例に相当する。  
導光素子１００は、遮光層ＢＭ５を備えている。遮光層ＢＭ５は、境界Ｂ１と重畳し、主面ＬＧ１Ａに形成されている。金属配線ＭＬ１は、境界Ｂ１と重畳している。つまり、境界Ｂ１は、遮光層ＢＭ５と金属配線ＭＬ１との間に位置している。なお、金属配線ＭＬ１及び遮光層ＢＭ５のいずれか一方が省略されてもよい。また、遮光層ＢＭ５は、図７Ｂに示したように、境界Ｂ１の上に重畳していてもよい。  
導光素子２００は、遮光層ＢＭ６を備えている。遮光層ＢＭ６は、境界Ｂ２と重畳し、主面ＬＧ２Ｂに形成されている。金属配線ＭＬ２は、境界Ｂ２と重畳している。つまり、境界Ｂ２は、遮光層ＢＭ６と金属配線ＭＬ２との間に位置している。なお、金属配線ＭＬ２及び遮光層ＢＭ６のいずれか一方が省略されてもよい。また、遮光層ＢＭ６は、図７Ｂに示したように、境界Ｂ２の下に重畳していてもよい。遮光層ＢＭ５及びＢＭ６は、例えば、不透明な有機材料や不透明な金属材料によって形成されている。  
したがって、図７Ａ乃至図７Ｃを参照して説明したのと同様に、境界Ｂ１及びＢ２付近での表示品位の低下を抑制することができる。
【００５８】
［実施形態４の第２変形例］  
図１３は、表示装置ＤＳＰの他の構成例を示す断面図である。図１３に示した構成例は、図１１に示した構成例と比較して、端部Ｅ３１が第１基板ＳＵＢ１と重畳せず、端部Ｅ４２が第２基板ＳＵＢ２と重畳しない点で相違している。また、遮光層ＢＭ７は、端部Ｅ１１と端部Ｅ３１との間において、透明層１１０の上面１１０Ａに位置している。遮光層ＢＭ８は、端部Ｅ１１と端部Ｅ３１との間において、導光板ＬＧ１の主面ＬＧ１Ｂに位置している。遮光層ＢＭ９は、端部Ｅ２２と端部Ｅ４２との間において、透明層２１０の下面２１０Ｂに位置している。遮光層ＢＭ１０は、端部Ｅ２２と端部Ｅ４２との間において、導光板ＬＧ２の主面ＬＧ２Ａに位置している。遮光層ＢＭ７乃至ＢＭ１０は、上記の遮光層ＢＭ１と同様の部材によって形成されている。  
したがって、図８を参照して説明したのと同様に、表示品位の低下を抑制することができる。
【００５９】
［実施形態５］  
図１４は、実施形態５の表示装置ＤＳＰの構成例を示す断面図である。図１４に示した構成例は、図１に示した実施形態１の構成例と比較して、透明層１３０及び２３０が追加された点で相違している。
導光素子１００は、透明層１３０を備えている。透明層１３０は、導光板ＬＧ１の主面ＬＧ１Ｂに接して配置され、導光板ＬＧ１の屈折率ｎ１とは異なる屈折率ｎ４を有している。透明層１３０は、端部Ｅ３１と端部Ｅ３２との間において主面ＬＧ１Ｂの略全面に亘って設けられ、導光板ＬＧ１を挟んで、透明層１１０及び１２０と対向している。透明層１３０は、導光板ＬＧ１の長さＬ１３とほぼ同等の長さを有している。透明層１３０の屈折率ｎ４は、導光板ＬＧ１の屈折率ｎ１より低い。一例では、屈折率ｎ４は、透明層１１０の屈折率ｎ２と略同等である。  
導光素子２００は、透明層２３０を備えている。透明層２３０は、導光板ＬＧ２の主面ＬＧ２Ａに接して配置され、導光板ＬＧ２の屈折率ｎ５とは異なる屈折率ｎ８を有している。透明層２３０は、端部Ｅ４１と端部Ｅ４２との間において主面ＬＧ２Ａの略全面に亘って設けられ、導光板ＬＧ２を挟んで、透明層２１０及び２２０と対向している。透明層２３０は、導光板ＬＧ２の長さＬ２３とほぼ同等の長さを有している。透明層２３０の屈折率ｎ８は、導光板ＬＧ２の屈折率ｎ５より低い。一例では、屈折率ｎ８は、透明層２１０の屈折率ｎ６と略同等である。
これらの透明層１３０及び２３０は、透明層１１０などと同一の材料によって形成され、また、透明層１１０などと同等の厚みを有している。
端部Ｅ３１からの入射光Ｌ１のうち、導光板ＬＧ１から透明層１３０に向かって進行する光は、導光板ＬＧ１と透明層１３０の界面で反射される。同様に、端部Ｅ４２からの入射光Ｌ２のうち、導光板ＬＧ２から透明層２３０に向かって進行する光は、導光板ＬＧ２と透明層２３０の界面で反射される。  
このような実施形態５においても、上記の実施形態１と同様の効果が得られる。また、実施形態１の各変形例を実施形態５に適用してもよい。また、本実施形態５の構成は、他の実施形態２乃至４及び６の構成にも適用可能である。
図１４に示した構成例において、透明層１３０は第３層に相当し、透明層２３０は第６層に相当し、屈折率ｎ４は第４屈折率に相当し、屈折率ｎ８は第８屈折率に相当する。
【００６０】
［実施形態６］  
図１５は、実施形態６の表示装置ＤＳＰの構成例を示す断面図である。図１５に示した構成例は、図１に示した構成例と比較して、透明層１２０は透明層１１０の上に重畳し、透明層２２０は透明層２１０の下に重畳している点で相違している。透明層１２０は、接着層ＡＤ１によって主面ＳＵＢ１Ｂに接着され、透明層１１０は接着層ＡＤ１とは接していない。透明層２２０は、接着層ＡＤ２によって主面ＳＵＢ２Ａに接着され、透明層２１０は接着層ＡＤ２とは接していない。なお、透明層１２０が接着層ＡＤ１であってもよく、透明層２２０が接着層ＡＤ２であってもよい。図１５に示した構成例では、境界Ｂ１は、主面ＬＧ１Ａ上における、透明層１１０と透明層１２０との境界に相当する。また、境界Ｂ２は、主面ＬＧ２Ｂ上における、透明層２１０と透明層２２０との境界に相当する。
【００６１】
図１６は、図１５に示した表示装置ＤＳＰの境界Ｂ１付近の部分断面図である。なお、透明層２１０及び透明層２２０は、境界Ｂ２付近において、図１６に示す境界Ｂ１付近の透明層１１０及び透明層１２０と同様の構造を有している。
【００６２】
ここで、境界Ｂ１付近における透明層１１０及び１２０の各々の第３方向Ｚに沿った厚さに着目する。透明層１１０は、厚さＴ１を有している。厚さＴ１は、端部Ｅ３１から端部Ｅ３２に向うにしたがって薄くなる。透明層１２０は、透明層１１０と接する領域において、厚さＴ２を有し、主面ＬＧ１Ａと接する領域において厚さＴ３を有している。厚さＴ２は、端部Ｅ３１から端部Ｅ３２に向うにしたがって厚くなる。厚さＴ３は、厚さＴ２及びＴ１より厚く、端部Ｅ３１から端部Ｅ３２に向うにしたがってほぼ一定である。
このような実施形態６においても、上記の実施形態１と同様の効果が得られる。
【００６３】
以上説明したように、本実施形態によれば、表示品位の低下を抑制することが可能な表示装置を提供することができる。
【００６４】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００６５】
本明細書にて開示した構成から得られる表示装置の一例を以下に付記する。  
（１）
第１基板と、
前記第１基板に対向する第２基板と、
前記第１基板と前記第２基板との間に位置する液晶層と、
複数の第１発光素子と、
前記第１基板に対向する第１主面と、前記第１主面の反対側に位置する第２主面と、前記複数の第１発光素子に対向する第１端部と、前記第１端部の反対側に位置する第２端部と、を有する第１導光板と、
前記第１主面に接して配置され、前記液晶層と前記第１導光板との間において前記第１端部に近接する第１層と、
前記第１主面に接して配置され、前記第１層と前記第２端部との間に位置する第２層と、を備え、
前記第１導光板は、第１屈折率を有し、
前記第１層は、前記第１屈折率より低い第２屈折率を有し、
前記第２層は、前記第２屈折率より高い第３屈折率を有し、
前記第１層は、前記第２層より前記第１端部に近い位置に配置される、表示装置。
（２）
前記第１層は、前記第１端部から前記第２端部に向かって第１長さを有し、
前記第２層は、前記第２端部から前記第１端部に向かって第２長さを有し、
前記第１長さは、前記第２長さと同等、または、前記第２長さより短い、（１）に記載の表示装置。
（３）
前記第１導光板は、前記第１端部と前記第２端部との間に第３長さを有し、
前記第１長さは、前記第３長さの１／３以上である、（２）に記載の表示装置。
（４）
前記第２主面に接して配置され、前記第１導光板を挟んで前記第１層及び前記第２層と対向する第３層を備え、
前記第３層は、前記第１屈折率より低い第４屈折率を有する、（１）に記載の表示装置。
（５）
前記第１屈折率及び前記第３屈折率は同等であり、前記第２屈折率及び前記第４屈折率は同等である、（４）に記載の表示装置。
（６）
複数の第２発光素子と、
前記第２基板に対向する第３主面と、前記第３主面の反対側に位置する第４主面と、前記複数の第２発光素子に対向する第３端部と、前記第３端部の反対側に位置する第４端部と、を有する第２導光板と、
前記第３主面に接して配置され、前記液晶層と前記第２導光板との間において前記第３端部に近接する第４層と、
前記第３主面に接して配置され、前記第４層と前記第４端部との間に位置する第５層と、を備え、
前記第２導光板は、第５屈折率を有し、
前記第４層は、前記第５屈折率より低い第６屈折率を有し、
前記第５層は、前記第５屈折率より高い第７屈折率を有し、
前記第３端部は、前記第４端部より前記第２端部に近い位置に配置され、
前記第４層は、前記第５層より前記第３端部に近い位置に配置される、（１）乃至（５）のいずれか１つに記載の表示装置。
（７）
前記第４層は、前記第３端部から前記第４端部に向かって第４長さを有し、
前記第５層は、前記第４端部から前記第３端部に向かって第５長さを有し、
前記第４長さは、前記第５長さと同等、または、前記第５長さより短い、（６）に記載の表示装置。
（８）
前記第２導光板は、前記第３端部と前記第４端部との間に第６長さを有し、
前記第４長さは、前記第６長さの１／３以上である、（７）に記載の表示装置。
（９）
前記第４主面に接して配置され、前記第２導光板を挟んで前記第４層及び前記第５層と対向する第６層を備え、
前記第６層は、前記第５屈折率より低い第８屈折率を有する、（６）に記載の表示装置。
（１０）
前記第５屈折率及び前記第７屈折率は同等であり、前記第６屈折率及び前記第８屈折率は同等である、（９）に記載の表示装置。
（１１）
前記第１層と前記第２層との第１境界と、
前記第４層と前記第５層との第２境界と、を有し、
前記第１境界及び前記第２境界のうちの少なくとも一方は、直線状に形成されている、（６）に記載の表示装置。
（１２）
前記第１層と前記第２層との第１境界と、
前記第４層と前記第５層との第２境界と、を有し、
前記第１境界及び前記第２境界のうちの少なくとも一方は、波線状に形成されている、（６）に記載の表示装置。
（１３）
前記第１基板と前記第１導光板との間に位置し、前記第１境界に重畳する第１遮光層と、
前記第１基板と前記第１導光板との間に位置し、前記第２境界に重畳する第２遮光層と、を備える、（１１）または（１２）に記載の表示装置。
（１４）
前記液晶層と前記第１導光板との間に位置し、前記第１境界及び前記第２境界の少なくとも一方に重畳する金属配線を備える、（１１）乃至（１３）のいずれか１つに記載の表示装置。
（１５）
前記第１層と前記第１基板との間に位置し、前記第１端部から前記第２端部に向かって第７長さを有する遮光体を備え、
前記第７長さは、前記第１長さより短い、（２）に記載の表示装置。
（１６）
第１発光素子と、
第１主面と、前記第１発光素子に対向する第１端部と、前記第１端部の反対側に位置する第２端部と、を有する第１導光板と、
前記第１主面に接して配置される第１層と、
第２発光素子と、
第２主面と、前記第２発光素子に対向する第３端部と、前記第３端部の反対側に位置する第４端部と、を有する第２導光板と、
前記第２主面に接して配置される第２層と、
前記第１層を挟んで前記第１主面に対向し、前記第４端部に接着された第５端部を有する第１表示パネルと、
前記第２層を挟んで前記第２主面に対向し、前記第２端部に接着された第６端部を有する第２表示パネルと、を備え、
前記第１表示パネル及び前記第２表示パネルは、それぞれ液晶層を備え、
前記第１導光板は、第１屈折率を有し、
前記第１層は、前記第１屈折率より低い第２屈折率を有し、
前記第２導光板は、第３屈折率を有し、
前記第２層は、前記第３屈折率より低い第４屈折率を有する、表示装置。
（１７）
前記第２端部及び前記第６端部、及び、前記第４端部及び前記第５端部の各々を接着する透明な接着層を備える、（１６）に記載の表示装置。
（１８）
発光素子と、
第１主面と、前記発光素子に対向する第１端部と、前記第１端部の反対側に位置する第２端部と、を有する第１導光板と、
前記第１主面に接して配置される第１層と、
前記第１層を挟んで前記第１主面に対向し、前記第２端部に重畳する第３端部を有する表示パネルと、
前記第２端部及び前記第３端部にそれぞれ接着された反射部材と、を備え、
前記表示パネルは、液晶層を備え、
前記第１導光板は、第１屈折率を有し、
前記第１層は、前記第１屈折率より低い第２屈折率を有する、表示装置。
（１９）
前記反射部材は、プリズムである、（１８）に記載の表示装置。
（２０）
前記第２端部及び前記第３端部の各々と、前記反射部材とを接着する透明な接着層を備える、（１８）に記載の表示装置。
【符号の説明】
【００６６】
ＤＳＰ…表示装置  ＰＮＬ…表示パネル  ＳＵＢ１…第１基板  ＳＵＢ２…第２基板  ＬＣ…液晶層  ＥＭ…発光素子  ＬＧ…導光板  ＢＭ…遮光層  ＭＬ…金属配線  Ｃ１…接着層  ＲＥ…反射部材  
【図１】
2019191230.tif 000003
【図２】
2019191230.tif 000004
【図３】
2019191230.tif 000005
【図４】
2019191230.tif 000006
【図５】
2019191230.tif 000007
【図６】
2019191230.tif 000008
【図７Ａ】
2019191230.tif 000009
【図７Ｂ】
2019191230.tif 000010
【図７Ｃ】
2019191230.tif 000011
【図８】
2019191230.tif 000012
【図９Ａ】
2019191230.tif 000013
【図９Ｂ】
2019191230.tif 000014
【図１０】
2019191230.tif 000015
【図１１】
2019191230.tif 000016
【図１２】
2019191230.tif 000017
【図１３】
2019191230.tif 000018
【図１４】
2019191230.tif 000019
【図１５】
2019191230.tif 000020
【図１６】
2019191230.tif 000021